(57)【要約】  本発明のスパウトアセンブリは、軟包装容器の一定部位に接着する封着部と、封着部から上方に延長する排出部と、封着部に一体または組立延長して、軟包装容器の前部、後部、底部及び上部の少なくとも一つの部分と接触する支持部と、を備え、軟包装容器の自立性を向上させる。
2005511420.tif 000002
【特許請求の範囲】
【請求項１】
軟包装容器の一部位に取り付けられる封着部と、前記封着部に一体的に形成されまたは組み立てられ、前記軟包装容器の前部、後部、底部及び上部の少なくとも一つの部分と接触すべく延長されて、前記軟包装容器を一定の形状に維持する支持体と、を備え、軟包装容器の自立性を向上させるスパウトアセンブリ。
【請求項２】
前記軟包装容器は、スタンド型パウチ、Ｍ型パウチ、および紙パックの中から選択される請求項１記載のスパウトアセンブリ。
【請求項３】
前記支持体は、前記封着部の下部から軟包装容器の底面まで延長される支持棒と、前記支持棒の下端に形成されて軟包装容器の底面と接触する支持安定部と、を含む請求項１記載のスパウトアセンブリ。
【請求項４】
前記支持体は、前記封着部の下部から軟包装容器の底面まで延長される少なくとも二つの支持棒と、前記支持棒に形成されて軟包装容器の底面と接触する支持安定部と、を含む請求項１記載のスパウトアセンブリ。
【請求項５】
前記支持体は、排出孔が形成された支持管と、前記支持管を前記封着部の下方に連結する連結体と、を含む請求項１記載のスパウトアセンブリ。
【請求項６】
前記支持体は、前記封着部の内壁へ別途に製作されて組み立てられる請求項１記載のスパウトアセンブリ。
【請求項７】
前記支持体は、前記封着部の両側部から延長して軟包装容器の上端を支持する容器上端支持部と、前記容器上端支持部から延長して軟包装容器の側部を支持する容器側面支持部と、を含む請求項１記載のスパウトアセンブリ。
【請求項８】
前記容器上端支持部と容器側部支持部とは、インモールド成型により軟包装容器の内壁に一体化される請求項７記載のスパウトアセンブリ。
【請求項９】
前記容器上端支持部と容器側面支持部とは、インモールド成型により軟包装容器の外壁に一体化される請求項７記載のスパウトアセンブリ。
【請求項１０】
前記支持体は、前記封着部から延長して軟包装容器の内壁と接触する少なくとも二つの支持脚を含む請求項１記載のスパウトアセンブリ。
【請求項１１】
前記支持体は、前記封着部から軟包装容器の底面まで延長する少なくとも二つの支持脚を含む請求項１記載のスパウトアセンブリ。
【請求項１２】
安定支持脚が前記支持脚の下端にヒンジ連結により一体的に形成され、前記安定支持脚は前記支持脚が相互に移動し且つ相互に広がることを可能とすべく所定角度で上方に延長する請求項１１記載のスパウトアセンブリ。
【請求項１３】
前記封着部は、軟包装容器の水平な上面に結合される水平底面を有する請求項１記載のスパウトアセンブリ。
【請求項１４】
前記支持脚は、外力によって相互に広がることを可能とすべく、上部内面に突起が形成される請求項１１記載のスパウトアセンブリ。
【請求項１５】
前記支持脚は、下端に緩やかな湾曲部を有する容器底面保護部が形成される請求項１１に記載のスパウトアセンブリ。
【請求項１６】
前記支持体は、前記封着部の内壁を移動可能な可動支持枠と、前記可動支持枠から下方に延長されて、前記封着部の下方に形成された固定枠に掛かる固定体と、前記固定体から下方に延長された少なくとも二つの支持脚と、を含む請求項１記載のスパウトアセンブリ。
【請求項１７】
前記支持脚は、ヒンジにより前記固定体に連結され且つ突起が形成され、外力によって突起が加圧されると相互に開くことができる請求項１６記載のスパウトアセンブリ。
【発明の詳細な説明】
【技術分野】
【０００１】
本発明はスパウトアセンブリに関し、より詳しくは、パウチ容器の自立性を向上させるように構成されたスパウトアセンブリに関する。
【背景技術】
【０００２】
一般的に、パウチ容器は、物流及び製造費用上の長所を有することから、最近は飲料を入れる用途として多く用いられている。しかしながら、このようなパウチ容器は、それ自体の柔軟性によって自立性が低くなるという短所がある。
【０００３】
また、スタンド型のパウチ及びＭ型パウチのような自立可能なパウチ容器が提案されているが、飲料及び他の液体のような内容物を入れた場合であっても、確実に直立な自立状態を提供することが予定されていないため、製品の表示などをする場合、一部がやはり潰れるので、外観上の美しさを提供できない。さらに、パウチ容器をポンプディスペンサー容器に使用する場合には、別途の堅固な支持ケースが必要となり、ユーザーにとって面倒である上に費用がかさむものである。
【発明の開示】
【発明が解決しようとする課題】
【０００４】
従って、本発明は前記のような従来技術の問題点を解消するために発案されたものである。本発明の目的は、パウチ容器の自立性を向上させて外観上の美しさを改善することができるスパウトアセンブリを提供することにある。本発明の他の目的は、一定の力によって押される垂直加圧力に対する支持力を提供して、ポンプディスペンサー容器で利用できるパウチ容器用スパウトアセンブリを提供することにある。前記目的を実現するために、本発明はスパウトアセンブリを提供する。
【課題を解決するための手段】
【０００５】
本発明に係るスパウトアセンブリは、軟包装容器の一部位に取り付けられる封着部と、前記封着部に一体的に形成されまたは組み立てられ、前記軟包装容器の前部、後部、底部及び上部の少なくとも一つの部分と接触すべく延長されて、前記軟包装容器を一定の形状に維持する支持体と、を備え、軟包装容器の自立性を向上させる。
【発明を実施するための最良の形態】
【０００６】
以下、本発明の好ましい実施形態を、添付図面を参照してより詳しく説明する。図１は、本発明の第１の実施形態に係るスパウトアセンブリを示す。図示する通り、この実施形態のスパウトアセンブリ１は、排出部１０２と、この排出部１０２の下端に一体に延長されて、パウチ本体に取り付けられる封着部１０５と、前記封着部１０５からパウチ本体の底面まで延長される支持体１０３と、を備える。
【０００７】
前記支持体１０３には、その下端部にパウチ本体の自立性を向上させ且つパウチ本体の底面が破壊されることを防止するために支持安定部１０４が提供され、その支持安定部１０４は、パウチ本体の底面に水平になるように前記支持体１０３の下端から直角に延長される。
【０００８】
図２は、前記スパウトアセンブリが一般的なスタンド型のパウチ容器に適用された例を示す。図示する通り、パウチ容器は、上端に前記スパウトアセンブリ１の封着部１０５が封着される若しくは取り付けられるスパウト封着部を持つ本体１０１を含む。前記支持体１０３は前記本体１０１の内部の底面まで延長されており、前記支持安定部１０４は本体１０１の内部の底面と平行に接触する。また、前記排出部１０２は蓋１１０によって密閉力を維持する。
【０００９】
図３は、前記スパウトアセンブリが一般的なＭ型パウチ容器に適用された例を示す。この実施形態は、パウチ本体の構造を除けば前記の図２と同一なので、その詳細な説明は省略する。
【００１０】
図４は、前記スパウトアセンブリがディスペンサー用パウチ容器に適用された例を示す。図示する通り、ポンプ２００とボタン２０２とからなるポンプディスペンサーアセンブリは、前記スパウトアセンブリ１に結合されて用いることができる。このような場合、ボタン２０２を加圧してポンプ２００を操作しても、その加圧力は前記支持体１０３により支持される。従って、別途の支持構造がなくても、パウチ本体が押し縮められることなく内容物を排出することができる。前記支持体１０３の支持安定部１０４は様々な形状のものが考えられ、また、支持体１０３は二つ以上の棒状体から形成することもできる。
【００１１】
図５は、本発明の第２の実施形態に係るスパウトアセンブリを示す。図示する通り、支持体１０３は少なくとも二つ以上の部分から形成され、その端部が相互に連結されて支持安定部１０４を形成するものである。
【００１２】
図６は、本発明の第３の実施形態に係るスパウトアセンブリを示す。支持体１０３はその長軸に沿って排出孔１０６が形成され、その下端には排出孔１０６と連通された底面排出孔１０７を有する支持安定部が形成される。前記支持体１０３の上端は、側面孔１０９を定める多数の連結体１０８によって前記封着部１０５の下方に一体的に連結される。この実施形態のスパウトアセンブリは、スパウトアセンブリがディスペンサー用パウチ容器に適用される場合、排出孔１０６と底面排出孔１０７とがディスペンサーの排出管の役割を果たすという長所を有する。
【００１３】
また、図７の第４の実施形態に示す通り、前記支持体１０３は、別途に製作した後に封着部１０５の下方に組み立てることもできる。
【００１４】
図８は、本発明の第５の実施形態を示す。この実施形態のスパウトアセンブリの支持体は、封着部１０５の両側端部から一定の長さに延長して形成されたパウチ容器上端支持部１０３ａと、前記上端支持部１０３ａの外端部から下方に延長されて形成されたパウチ容器側面支持部１０３ｂとを備える。
【００１５】
図９は、図８の支持体がパウチ容器に適用された一例を示す。図示した通り、前記上端支持部１０３ａが容器本体１０１の上端を支持し、パウチ容器側面支持部１０３ｂが容器本体１０１の両側面を支持するので、より安定した自立性をパウチ容器に提供できるという長所を有する。
【００１６】
特に、図１０（ａ）に示す通り、前記支持体は、インモールド成型により容器本体１０１と一体的に形成することを可能とすべく、容器本体１０１の内側上端と内側両側端に配置される。また、図１０（ｂ）のように、前記支持体は、容器本体１０１の外側上端及び外側両側端に配置することも可能であり、同様にインモールド成型により容器本体１０１と一体に形成できるようになっている。
【００１７】
図１１及び図１２は、本発明の第６の実施形態に係るスパウトアセンブリが、ディスペンサー用パウチ容器に適用された例を示す。図示する通り、ディスペンサー用パウチ容器１００は、容器本体１０１と、容器本体１０１に取り付けられる封着部１０５と排出部１０２とを有するスパウトアセンブリと、を備える。通常のポンプ２００は、前記スパウトアセンブリの排出部に組み立てられる。
【００１８】
前記容器本体１０１は、支持体１０３の自立力により支持される。前記支持体１０３は、弾性連結部１０４を通じて封着部１０５の下部に一体的に連結される。前記支持体１０３は、容器本体の底面部１０７の接着端部まで延長される。また、前記支持体１０３は、本体のフィルムＦ（図１２参照）の内面と接着するように構成されることが好ましい。
【００１９】
従って、図１１のような状態で、ボタン２０１の上面を圧してポンプアセンブリ２００を操作すると、排出管２０３の内部に吸入された内容物が容器から吐出される。このような過程でボタン２０１に圧力を加えても、軟質な本体１０１は、本体１０１の下端まで延長された支持体１０３があることにより変形しない。また、前記支持体１０３は弾性連結部１０４によって連結されているので、支持体１０３が圧されても、支持体１０３は弾性連結部１０４によって初期位置に復帰し、本体１０１が伸びた状態に維持する。
【００２０】
図１３は、本発明の第７の実施形態に係るスパウトアセンブリを示す。図示する通り、スパウトアセンブリ１は、パウチ本体と接着される封着部１０５とその封着部１０５に形成される排出部１０２とを備える。前記排出部１０２は、通常の蓋またはディスペンサーが結合できる構造となっている。前記封着部１０５から、少なくとも一つの支持体１０３が延長形成される。ポンプディスペンサーがスパウトアセンブリに取り付けられる際に、前記支持体１０３が外側に開くことができるように、支持体１０３と封着部１０５との間の連結部分は、弾性連結部１０８を用いて形成される。副支持体１０９は、前記支持体１０３の下端部にヒンジ部１１０により一体に連結される。従って、ポンプディスペンサーがスパウトアセンブリ１に組み立てられる際には、前記支持体１０３はポンプディスペンサーの支持型排出管により外側に広げられ、前記副支持体１０９は容器の下端と安定に接触する。
【００２１】
図１４は、本発明の第８の実施形態に係るアセンブリを示す正面図である。この実施形態は、図１５で示すように前記封着部１０１が紙パック等の容器の上面に取り付けられるように構成されることを除き、第７の実施形態と同一である。即ち、図示する通り、前記支持体１０３が一定の角度に広げられ、前記副支持体１０９はポンプディスペンサー３００の支持型排出管３０１によって水平に配置され、紙パックを安定に支持する。
【００２２】
以上の第７及び第８の実施形態において、支持体１０３が一定の角度で広げられているので、前記ポンプディスペンサー３００のボタン３０２に圧力を加えても、紙パック２００はその形状を維持することができる。
【００２３】
図１６は、本発明の第９の実施形態に係るスパウトアセンブリを示す。この実施形態は、ポンプディスペンサー３００をスパウトアセンブリ１に結合する際に、支持体１０３がディスペンサーハウジング３０３により外側に広げられることを除き、第７の実施形態と類似する。即ち、突起１１１が、弾性連結部１０８の下部で且つ支持体の内面に形成される。前記ハウジング３０３は、前記突起１１１を押してスパウトアセンブリ１内に挿入される。
【００２４】
図１７は、本発明の第１０の実施形態に係るスパウトアセンブリを示す。この実施形態も、突起１１１が弾性連結部１０８の下部に形成されること、及び、前記支持体１０３の下端部に底面保護部１１２が形成されていることを除き、同様に第７の実施形態と類似する。前記底面保護部１１２は緩やかな湾曲で形成される。
【００２５】
図１８及び図１９は、本発明の第１１の実施形態に係るスパウトアセンブリを示す。この実施形態のスパウトアセンブリ１は、パウチ容器に取り付けられる封着部１０５と前記封着部１０５から上方に延長される排出部１０２とを備える。別途の密閉用蓋またはディスペンサーアセンブリが排出部１０２に結合される。また、支持体４００が、前記封着部１０５の内壁に取り付けられる。
【００２６】
前記支持体４００は、図１９に示すように、可動支持枠４０１と、その可動支持枠４０１から下方に延長形成されて、前記封着部１０５の下方に一体的に形成された固定枠１０１に掛かる固定体４０２と、前記固定体４０２の下方に一体的に形成された支持脚４０３と、を備える。前記支持脚４０３は、ヒンジ型の連結部４０５により前記固定体４０２に連結されている。前記ヒンジ型の連結部４０５の下方の支持脚１０３には、突起４０４が形成される。前記支持脚４０３は、少なくとも二つ以上が放射方向外側に広がるように形成されることが好ましい。
【００２７】
ポンプディスペンサー３００を排出部１０２に取り付けると、前記支持体４００はポンプディスペンサー３００の有するハウジング３０１によって下方に移動し、そして前記固定体４０２が固定枠１０１に接触すると止まる。この状態から、ポンプディスペンサー３００をより下方に移動させると、ハウジング３０１が突起４０４を押して支持脚１０３が開くようになる（図１８参照）。
【００２８】
以上で説明したように、パウチ容器が飲料製品用に使用される場合には、パウチ容器の自立性をさらに向上させて表示効果を改善する。また、パウチ容器は垂直な圧力が付加される場合にも変形しないように構成されるので、ポンプディスペンサーに組み立てて利用することができる。
【００２９】
以上では、本発明の好ましい実施形態について説明したが、本発明はこれに限定されるものではなく、特許請求の範囲と発明の詳細な説明及び添付した図面の範囲内で多様に変形して実施することができ、これらも本発明の範囲に属することは当然である。例えば、本発明のスパウトアセンブリが適用される容器は、パウチ容器のみに限定されるものではなく、紙パックのような全ての軟包装材から選択することができる。
【産業上の利用可能性】
【００３０】
以上で説明したように、本発明のスパウトアセンブリは、飲料用容器または柔軟なポンプディスペンサー用容器に用いることができる。
【図面の簡単な説明】
【００３１】
【図１】本発明の第１の実施形態に係るスパウトアセンブリを示す斜視図である。
【図２】本発明の第１の実施形態に係るスパウトアセンブリがスタンド型のパウチ容器に適用された例を示す斜視図である。
【図３】本発明の第１の実施形態に係るスパウトアセンブリがＭ−型のパウチ容器に適用された例を示す斜視図である。
【図４】本発明の第１の実施形態に係るスパウトアセンブリがディスペンサー用パウチ容器に適用された例を示す斜視図である。
【図５】本発明の第２の実施形態に係るスパウトアセンブリを示す斜視図である。
【図６】本発明の第３の実施形態に係るスパウトアセンブリを示す斜視図である。
【図７】本発明の第４の実施形態に係るスパウトアセンブリを示す斜視図である。
【図８】本発明の第５の実施形態に係るスパウトアセンブリを示す斜視図である。
【図９】第５の実施形態に係るスパウトアセンブリがパウチ容器に適用された例を示す斜視図である。
【図１０】（ａ）は図９のＡ−Ａ線に沿う断面図であり、（ｂ）は（ａ）に類似する他の例を示す断面図である。
【図１１】本発明の第６の実施形態に係るスパウトアセンブリがディスペンサー用パウチ容器に適用された例を示す斜視図である。
【図１２】図１１の断面図である。
【図１３】本発明の第７の実施形態に係るスパウトアセンブリを示す正面図である。
【図１４】本発明の第８の実施形態に係るスパウトアセンブリを示す正面図である。
【図１５】本発明の第８の実施形態に係るスパウトアセンブリが四角紙パックに適用された例を示す斜視図である。
【図１６】本発明の第９の実施形態に係るスパウトアセンブリを示す概略正面図である。
【図１７】本発明の第１０の実施形態に係るスパウトアセンブリを示す正面図である。
【図１８】本発明の第１１の実施形態に係るスパウトアセンブリを示す断面図である。
【図１９】図１８のスパウトアセンブリの支持部を示す正面図である。
【図１】
2005511420.tif 000003
【図２】
2005511420.tif 000004
【図３】
2005511420.tif 000005
【図４】
2005511420.tif 000006
【図５】
2005511420.tif 000007
【図６】
2005511420.tif 000008
【図７】
2005511420.tif 000009
【図８】
2005511420.tif 000010
【図９】
2005511420.tif 000011
【図１０】
2005511420.tif 000012
【図１１】
2005511420.tif 000013
【図１２】
2005511420.tif 000014
【図１３】
2005511420.tif 000015
【図１４】
2005511420.tif 000016
【図１５】
2005511420.tif 000017
【図１６】
2005511420.tif 000018
【図１７】
2005511420.tif 000019
【図１８】
2005511420.tif 000020
【図１９】
2005511420.tif 000021
【国際調査報告】
2005511420.tif 000022
2005511420.tif 000023